(57)【要約】【課題】携帯端末のカメラ動作時に、カメラ制御部が輻射するクロック高調波ノイズの影響を受けない周波数帯域に切り替える。【解決手段】アンテナ１は受信信号を受信する。シンセサイザ２はローカル信号３０を生成する。受信部３は受信信号を復調し、復調データ３１を制御部４に送出する。カメラ制御部６はクロック発振器７を有しカメラ８を制御する。クロック発振器７はカメラ制御の基準クロックを発生する。制御部４は操作部５からのカメラ開始信号３２を入力すると、カメラ制御部６にカメラ起動信号３３を出力し、携帯端末２０の受信帯域を指定した帯域に切り替える。【選択図】      図１
2006211259.tif 000002
【特許請求の範囲】
【請求項１】
携帯端末のカメラ動作時に、前記携帯端末の待受けチャネルがノイズ発生帯域であるかどうかを判定する判定手段と；
前記待受けチャネルがノイズ発生帯域である場合、前記待受けチャネルを前記ノイズ発生帯域外の受信帯域に切り替える切替手段と；
を備えたことを特徴とする携帯端末の受信帯域切替回路。
【請求項２】
携帯端末のカメラ動作時に、前記携帯端末の待受けチャネルがノイズ発生帯域であるかどうかを判定する判定手段と；
前記携帯端末の受信レベルと受信閾値とを比較する比較手段と；
前記待受けチャネルがノイズ発生帯域であり、前記受信レベルが前記受信閾値に較べて低い場合、前記待受けチャネルを前記ノイズ発生帯域外の受信帯域に切り替える切替手段と；
を備えたことを特徴とする携帯端末の受信帯域切替回路。
【請求項３】
前記切替手段は、カメラ動作停止時に、前記待受けチャネルを元の受信帯域に戻すことを特徴とする請求項１又は請求項２記載の携帯端末の受信帯域切替回路。
【請求項４】
携帯端末の待ち受けチャネルの受信帯域を検出する検出手段と；
前記携帯端末の待ち受けチャネルがノイズ発生受信帯域の場合、シンセサイザへチャネル切替信号を送出するチャネル切替手段と；
前記チャネル切替信号により、前記シンセサイザは前記携帯端末の待ち受けチャネルを前記ノイズ発生受信帯域外の受信帯域に切り替える切替制御手段と；
を備えたことを特徴とする携帯端末の受信帯域切替回路。
【請求項５】
携帯端末の待ち受けチャネルの受信帯域を検出する検出手段と；
前記携帯端末の受信レベルと受信閾値とを比較する比較手段と；
前記待ち受け中のチャネルがノイズ発生受信帯域内で、前記受信レベルが前記受信閾値以上である場合は強電界として前記待ち受けチャネルは前記携帯端末の受信帯域とし、前記受信レベルが前記受信閾値以下の場合は中・弱電界として、シンセサイザへチャネル切替信号を送出するチャネル切替手段と；
前記チャネル切替信号により、前記シンセサイザは前記携帯端末の待ち受けチャネルを前記ノイズ発生受信帯域外の受信帯域に切り替える切替制御手段と；
を備えたことを特徴とする携帯端末の受信帯域切替回路。
【請求項６】
前記切替制御手段は、カメラ動作停止時に、前記待受けチャネルを元の受信帯域に戻すことを特徴とする請求項４又は請求項５記載の携帯端末の受信帯域切替回路。
【請求項７】
受信信号を受信するアンテナと、ローカル信号を生成するシンセサイザと、前記ローカル信号を入力して周波数変換し復調する受信部と、カメラを駆動させるカメラ制御部と、キー入力する操作部と、制御部とを備えた携帯端末であって、
前記制御部は、
前記操作部からのキー操作でカメラ開始信号を入力すると、前記携帯端末の待ち受けチャネルが予め設定したノイズ発生帯域の受信帯域の場合に、前記シンセサイザへチャネル切替信号を送出し、前記ノイズ発生帯域外の受信帯域に切り替えることを特徴とする携帯端末。
【請求項８】
受信信号を受信するアンテナと、ローカル信号を生成するシンセサイザと、前記ローカル信号を入力して周波数変換し復調する受信部と、カメラを駆動させるカメラ制御部と、キー入力する操作部と、制御部と、受信レベルを判定する受信レベル判定回路とを備えた携帯端末であって、
前記制御部は、
前記操作部からのキー操作でカメラ開始信号を入力すると、前記携帯端末の待ち受けチャネルが予め設定したノイズ発生帯域の受信帯域であり、前記受信レベル判定回路により前記受信レベルが受信閾値に較べて小さいと判定された場合に、前記シンセサイザへチャネル切替信号を送出し、ノイズ発生帯域外の受信帯域に切り替えることを特徴とする携帯端末。
【請求項９】
前記制御部は、カメラ動作停止時に、前記待受けチャネルを元の受信帯域に戻すことを特徴とする請求項７又は請求項８記載の携帯端末。
【請求項１０】
携帯端末のカメラ動作時に、前記携帯端末の待受けチャネルがノイズ発生帯域であるかどうかを判定し、
前記待受けチャネルがノイズ発生帯域である場合、前記待受けチャネルを前記ノイズ発生帯域外の受信帯域に切り替えることを特徴とする携帯端末の受信帯域切替方法。
【請求項１１】
携帯端末のカメラ動作時に、前記携帯端末の待受けチャネルがノイズ発生帯域であるかどうかを判定し、
前記携帯端末の受信レベルと受信閾値とを比較し、
前記待受けチャネルがノイズ発生帯域であり、前記受信レベルが前記受信閾値に較べて低い場合、前記待受けチャネルを前記ノイズ発生帯域外の受信帯域に切り替えることを特徴とする携帯端末の受信帯域切替方法。
【請求項１２】
携帯端末のカメラ動作時に、前記携帯端末の待ち受けチャネルの受信帯域を検出し、
前記携帯端末の待ち受けチャネルがノイズ発生受信帯域の場合、シンセサイザへチャネル切替信号を送出し、
前記チャネル切替信号により、前記シンセサイザは前記携帯端末の待ち受けチャネルを前記ノイズ発生受信帯域外の受信帯域に切り替えることを特徴とする携帯端末の受信帯域切替方法。
【請求項１３】
携帯端末のカメラ動作時に、前記携帯端末の待ち受けチャネルの受信帯域を検出し、
前記携帯端末の受信レベルと受信閾値とを比較し、
前記待ち受け中のチャネルがノイズ発生受信帯域内で、前記受信レベルが前記受信閾値以上である場合は強電界として前記待ち受けチャネルは前記携帯端末の受信帯域とし、前記受信レベルが前記受信閾値以下の場合は中・弱電界として、シンセサイザへチャネル切替信号を送出し、
前記チャネル切替信号により、前記シンセサイザは前記携帯端末の待ち受けチャネルを前記ノイズ発生受信帯域外の受信帯域に切り替えることを特徴とする携帯端末の受信帯域切替方法。
【請求項１４】
請求項１０〜１３のいずれか１項に記載の携帯端末の受信帯域切替方法において、
カメラ動作停止時に、前記待受けチャネルを元の受信帯域に戻すことを特徴とする携帯端末の受信帯域切替方法。
【発明の詳細な説明】
【技術分野】
【０００１】
本発明は携帯端末の受信帯域切替回路及びその方法に関し、特にカメラ付き携帯端末のカメラ動作時に発生するノイズの影響を受けない携帯端末の受信帯域切替回路及びその方法に関する。
【背景技術】
【０００２】
最近の携帯電話、携帯端末等においては、カメラ機能が付加している端末が増加している。しかしながら、カメラ動作時のノイズの影響により携帯端末の受信特性が影響を受けることになる。
【０００３】
従来の携帯端末の受信帯域切替回路及びその方法は、携帯電話の受信処理や撮像処理の優先モードを設定することで、ノイズの影響のないタイミングを図りカメラ撮像している（例えば、特許文献１参照。）。
【０００４】
また、無線通信動作期間とカメラ撮影時のフラッシュ部への充電動作期間或いは撮像表示期間とが重ならないように動作モードを自動的に制御しているものもある（例えば、特許文献２参照。）。
【０００５】
【特許文献１】特開２００３−１１０６６４号公報（第２−３頁、図２）
【特許文献２】特開２００３−１６３７５９号公報（第４−８頁、図２）
【発明の開示】
【発明が解決しようとする課題】
【０００６】
上述した従来の携帯端末の受信帯域切替回路及びその方法は、カメラ動作時のノイズの影響により携帯端末の受信特性が影響を受けることになる。このため、特許文献１ではカメラ撮像モードに較べて受信モードを優先させるか、受信モードに較べてカメラ撮像モードを優先させるかのモード動作の切替え設定している。携帯端末の保持者が常にモード切替えを行うことは使用上不便になるという欠点を有している。
【０００７】
また、特許文献２ではカメラモード設定中に着信、発信等の無線通信モードが生じると、カメラモード設定が解除され、無線通信モードが優先されることになる。カメラ撮影が中断されることになり操作上不便であるという欠点を有している。
【０００８】
本発明の目的は、携帯端末のカメラ動作時に、カメラ、カメラ制御部が輻射するクロック高調波ノイズが受信帯域内に発生した場合、携帯端末が待ち受けするチャネルの受信帯域を制限し、クロック高調波ノイズと同じ周波数帯域を使用しないようにする。このことにより、動作モードの優先を気にすることなく安定した受信特性が得られる携帯端末の受信帯域切替回路及びその方法を提供することにある。
【課題を解決するための手段】
【０００９】
本発明の携帯端末の受信帯域切替回路は、
携帯端末のカメラ動作時に、前記携帯端末の待受けチャネルがノイズ発生帯域であるかどうかを判定する判定手段と；
前記待受けチャネルがノイズ発生帯域である場合、前記待受けチャネルを前記ノイズ発生帯域外の受信帯域に切り替える切替手段と；
を備えたことを特徴としている。
【００１０】
本発明の携帯端末の受信帯域切替回路は、
携帯端末のカメラ動作時に、前記携帯端末の待受けチャネルがノイズ発生帯域であるかどうかを判定する判定手段と；
前記携帯端末の受信レベルと受信閾値とを比較する比較手段と；
前記待受けチャネルがノイズ発生帯域であり、前記受信レベルが前記受信閾値に較べて低い場合、前記待受けチャネルを前記ノイズ発生帯域外の受信帯域に切り替える切替手段と；
を備えたことを特徴としている。
【００１１】
また、前記切替手段は、カメラ動作停止時に、前記待受けチャネルを元の受信帯域に戻すことを特徴としている。
【００１２】
本発明の携帯端末の受信帯域切替回路は、
携帯端末の待ち受けチャネルの受信帯域を検出する検出手段と；
前記携帯端末の待ち受けチャネルがノイズ発生受信帯域の場合、シンセサイザへチャネル切替信号を送出するチャネル切替手段と；
前記チャネル切替信号により、前記シンセサイザは前記携帯端末の待ち受けチャネルを前記ノイズ発生受信帯域外の受信帯域に切り替える切替制御手段と；
を備えたことを特徴としている。
【００１３】
本発明の携帯端末の受信帯域切替回路は、
携帯端末の待ち受けチャネルの受信帯域を検出する検出手段と；
前記携帯端末の受信レベルと受信閾値とを比較する比較手段と；
前記待ち受け中のチャネルがノイズ発生受信帯域内で、前記受信レベルが前記受信閾値以上である場合は強電界として前記待ち受けチャネルは前記携帯端末の受信帯域とし、前記受信レベルが前記受信閾値以下の場合は中・弱電界として、シンセサイザへチャネル切替信号を送出するチャネル切替手段と；
前記チャネル切替信号により、前記シンセサイザは前記携帯端末の待ち受けチャネルを前記ノイズ発生受信帯域外の受信帯域に切り替える切替制御手段と；
を備えたことを特徴としている。
【００１４】
また、前記切替制御手段は、カメラ動作停止時に、前記待受けチャネルを元の受信帯域に戻すことを特徴としている。
【００１５】
本発明の携帯端末は、
受信信号を受信するアンテナと、ローカル信号を生成するシンセサイザと、前記ローカル信号を入力して周波数変換し復調する受信部と、カメラを駆動させるカメラ制御部と、キー入力する操作部と、制御部とを備えた携帯端末であって、
前記制御部は、
前記操作部からのキー操作でカメラ開始信号を入力すると、前記携帯端末の待ち受けチャネルが予め設定したノイズ発生帯域の受信帯域の場合に、前記シンセサイザへチャネル切替信号を送出し、前記ノイズ発生帯域外の受信帯域に切り替えることを特徴としている。
【００１６】
本発明の携帯端末は、
受信信号を受信するアンテナと、ローカル信号を生成するシンセサイザと、前記ローカル信号を入力して周波数変換し復調する受信部と、カメラを駆動させるカメラ制御部と、キー入力する操作部と、制御部と、受信レベルを判定する受信レベル判定回路とを備えた携帯端末であって、
前記制御部は、
前記操作部からのキー操作でカメラ開始信号を入力すると、前記携帯端末の待ち受けチャネルが予め設定したノイズ発生帯域の受信帯域であり、前記受信レベル判定回路により前記受信レベルが受信閾値に較べて小さいと判定された場合に、前記シンセサイザへチャネル切替信号を送出し、ノイズ発生帯域外の受信帯域に切り替えることを特徴としている。
【００１７】
また、前記制御部は、カメラ動作停止時に、前記待受けチャネルを元の受信帯域に戻すことを特徴としている。
【００１８】
本発明の携帯端末の受信帯域切替方法は、
携帯端末のカメラ動作時に、前記携帯端末の待受けチャネルがノイズ発生帯域であるかどうかを判定し、
前記待受けチャネルがノイズ発生帯域である場合、前記待受けチャネルを前記ノイズ発生帯域外の受信帯域に切り替えることを特徴としている。
【００１９】
本発明の携帯端末の受信帯域切替方法は、
携帯端末のカメラ動作時に、前記携帯端末の待受けチャネルがノイズ発生帯域であるかどうかを判定し、
前記携帯端末の受信レベルと受信閾値とを比較し、
前記待受けチャネルがノイズ発生帯域であり、前記受信レベルが前記受信閾値に較べて低い場合、前記待受けチャネルを前記ノイズ発生帯域外の受信帯域に切り替えることを特徴としている。
【００２０】
本発明の携帯端末の受信帯域切替方法は、
携帯端末のカメラ動作時に、前記携帯端末の待ち受けチャネルの受信帯域を検出し、
前記携帯端末の待ち受けチャネルがノイズ発生受信帯域の場合、シンセサイザへチャネル切替信号を送出し、
前記チャネル切替信号により、前記シンセサイザは前記携帯端末の待ち受けチャネルを前記ノイズ発生受信帯域外の受信帯域に切り替えることを特徴としている。
【００２１】
本発明の携帯端末の受信帯域切替方法は、
携帯端末のカメラ動作時に、前記携帯端末の待ち受けチャネルの受信帯域を検出し、
前記携帯端末の受信レベルと受信閾値とを比較し、
前記待ち受け中のチャネルがノイズ発生受信帯域内で、前記受信レベルが前記受信閾値以上である場合は強電界として前記待ち受けチャネルは前記携帯端末の受信帯域とし、前記受信レベルが前記受信閾値以下の場合は中・弱電界として、シンセサイザへチャネル切替信号を送出し、
前記チャネル切替信号により、前記シンセサイザは前記携帯端末の待ち受けチャネルを前記ノイズ発生受信帯域外の受信帯域に切り替えることを特徴としている。
【００２２】
また、カメラ動作停止時に、前記待受けチャネルを元の受信帯域に戻すことを特徴としている。
【発明の効果】
【００２３】
本発明の携帯端末の受信帯域切替回路及びその方法は、カメラが動作している時、携帯端末装置の受信帯域は、クロック信号の高調波ノイズが輻射しない受信帯域で待ち受けを行うことができる。このため、高調波ノイズによる受信特性への影響は無くなり、安定した受信特性が得られるという効果を有している。
【発明を実施するための最良の形態】
【００２４】
次に、本発明の実施の形態について図面を参照して説明する。
【００２５】
図１は本発明の携帯端末の受信帯域切替回路及びその方法の一つの実施の形態を示すブロック図である。
【００２６】
図１に示す携帯端末２０は、受信信号を受信するアンテナ１と、ローカル信号３０を生成するシンセサイザ２と、受信部３とから構成されている。
【００２７】
また、クロックノイズ発信源９と、利用者がキー入力する操作部５と、シンセサイザ２、受信部３、操作部５およびクロックノイズ発信源９と接続する制御部４とから構成されている。
【００２８】
なお、クロックノイズ発信源９は、カメラ８と、クロック発振器７を含みカメラ８を駆動させるカメラ制御部６とを有している。
【００２９】
受信部３は、受信信号をアンテナ１から入力すると増幅し、シンセサイザ２からのローカル信号３０を入力して周波数変換しＩＦ信号を生成し、復調した復調データ３１を制御部４に送出する。
【００３０】
カメラ８の制御はクロック発振器７を有するカメラ制御部６により行われる。クロック発振器７はカメラ制御の基準クロックを発生する。クロック発振器７で生成されるクロック信号の高調波成分はノイズ源となり受信帯域内に入る。クロックノイズ発信源９はクロック信号の高調波ノイズをアンテナ１あるいは受信部３に輻射し、高調波ノイズと受信チャネルが重なった場合、携帯端末２０の受信特性を劣化させる。
【００３１】
制御部４は操作部５からのカメラ開始信号３２を入力すると、カメラ制御部６にカメラ起動信号３３を出力すると共に、携帯端末２０の受信帯域を指定した帯域に切り替えるため、シンセサイザ２にチャネル切替信号３４を送出する。
【００３２】
さらに制御部４は、操作部５よりカメラ終了信号３５を入力すると、カメラ制御部６にカメラ停止信号３６を出力すると共に、チャネル切替信号３４により携帯端末２０の受信帯域を元の帯域に戻す。
【００３３】
図２はクロック信号の高調波ノイズを示す図である。縦軸はレベルを示し、横軸は周波数を示す。
【００３４】
図２を参照すると、「Ｎ１」はクロックノイズ発信源、「Ｎ２」は２次高調波ノイズ、「Ｎ３」は３次高調波ノイズ、「Ｎｍ」はｍ次高調波ノイズを示す。「Ｂ」は携帯端末２０の受信帯域であり、ｍ次高調波ノイズＮｍは受信帯域Ｂ内に位置する。
【００３５】
また、ｍ次高調波ノイズＮｍが発生する受信帯域をＢＮとし、受信帯域Ｂ内でｍ次高調波ノイズＮｍが発生する帯域外の受信帯域をＢ１、Ｂ２とする。
【００３６】
図３は図１の本実施の形態の動作を説明するフローチャートである。
【００３７】
次に、図１、図２および図３を参照して本実施の形態の動作をより詳細に説明する。
【００３８】
図３のステップ１（以下、ステップＳ１と記す）において、携帯端末２０が受信帯域Ｂで待ち受け中、ステップＳ２にて利用者がカメラを使用する場合を説明する。
【００３９】
カメラ使用開始のため、操作部５からのキー操作でカメラ開始信号３２を出力すると、ステップＳ４にて制御部４はカメラ制御部６にカメラ起動信号３３を出力する。このカメラ起動信号３３により、受信帯域をＢ１、Ｂ２に切り替える。同時に、カメラ制御部６はカメラ起動信号３３の入力により、カメラ８に電源供給を開始する。
【００４０】
ステップＳ５で携帯端末２０の待ち受けチャネルが予め設定したクロック信号高調波ノイズ発生帯域である受信帯域ＢＮであると制御部４が判定した場合、ステップＳ６で制御部４はシンセサイザ２へチャネル切替信号３４を送出する。このチャネル切替信号３４により、シンセサイザ２は受信帯域Ｂ１、Ｂ２に切り替える。切り替え後、ステップＳ７で待ち受けチャネルは受信帯域Ｂ１、Ｂ２で待ち受けの状態となる。
【００４１】
ステップＳ５で携帯端末２０の待ち受けチャネルが受信帯域Ｂ１、Ｂ２であると制御部４が判定した場合、ステップＳ７に進み、待ち受けチャネルは受信帯域Ｂ１、Ｂ２のまま待ち受けの状態となる。ステップＳ２で利用者がカメラを使用しない場合、ステップＳ３で携帯端末２０の待ち受けチャネルは受信帯域Ｂで待ち受けのままとなり、ステップＳ１へ戻る。
【００４２】
ステップＳ８で利用者がカメラの使用をやめる場合、操作部５からのキー操作でカメラ終了信号３５を制御部４に出力する。ステップＳ９で制御部４はカメラ制御部６にカメラ停止信号３６を出力すると共に、携帯端末２０の受信帯域をＢに切り替える。
【００４３】
カメラ制御部６はカメラ停止信号３６の入力によりカメラ８の電源供給を停止する。ステップＳ１０で待ち受けチャネルは受信帯域Ｂのチャネルで待ち受けの状態となり、ステップＳ１へ戻る。ステップＳ８で利用者がカメラの使用を継続する場合、ステップＳ７へ戻り受信帯域Ｂ１、Ｂ２で待ち受ける。
【００４４】
従って、カメラ８が動作している時は、携帯端末２０の受信帯域は、クロック信号の高調波ノイズＮｍが輻射しない受信帯域Ｂ１、Ｂ２で待ち受けを行うため、高調波ノイズＮｍによる受信特性への影響は無くなる。
【００４５】
図４は本発明の携帯端末の受信帯域切替回路の第２の実施の形態を示すブロック図である。
【００４６】
図５はクロック信号の高調波ノイズと受信レベル判定値を示す図である。縦軸はレベルを示し、横軸は周波数を示す。
【００４７】
図５を参照すると、「Ｎ１」はクロックノイズ発信源、「Ｎ２」は２次高調波ノイズ、「Ｎ３」は３次高調波ノイズ、「Ｎｍ」はｍ次高調波ノイズを示す。「Ｂ」は携帯端末２０の受信帯域であり、ｍ次高調波ノイズＮｍは受信帯域Ｂ内に位置する。
【００４８】
また、ｍ次高調波ノイズＮｍが発生する受信帯域をＢＮとし、受信帯域Ｂ内でｍ次高調波ノイズＮｍが発生する帯域外の受信帯域をＢ１、Ｂ２とする。「Ｆｃ」は受信信号波、「Ａ」は受信レベル判定値である。受信レベル判定値Ａより受信レベルが高い場合は強電界と判定し、逆に低い場合は中・弱電界と判定する。
【００４９】
また、図６は図４の第２の実施の形態の動作を説明するフローチャートである。
【００５０】
なお、図４において図１に示す構成要素に対応するものは同一の参照数字または符号を付し、その説明を省略する。
【００５１】
次に第２の実施の形態の動作について、図４、図５および図６を用いて説明する。
【００５２】
図４において、図１の第１の実施の形態との差分は受信レベル判定回路１０を追加している点である。受信レベル判定回路１０は受信部３が出力する受信レベル３７をモニターし、受信レベル３７が図５に示す予め設定されたレベルＡ以上であれば強電界であると判断し、制御部４に判定結果３８を送出する。
【００５３】
また、モニターした受信レベル３７がレベルＡ以下の場合は中・弱電界であると判断し、制御部４に判定結果３８を送出する。
【００５４】
図６のフロー図のステップＳ１において携帯端末２０が受信帯域Ｂで待ち受け中、ステップＳ２にて利用者がカメラを使用する場合を説明する。まず、操作部５からのキー操作でカメラ開始信号３２を制御部４に出力する。
【００５５】
ステップＳ１１で制御部４は待ち受け中のチャネルが受信帯域ＢＮ内で、受信レベル判定回路１０の判定結果３８により受信レベルがＡ以上である場合（ＹＥＳ）は強電界とし、ステップＳ３に進み待ち受けチャネルは受信帯域ＢのままとなりステップＳ１へ戻る。
【００５６】
ステップＳ１１で制御部４は待ち受け中のチャネルが受信帯域ＢＮで、受信レベル判定回路１０の判定結果３８により受信レベルがＡ以下の場合（ＮＯ）は中・弱電界とする。ステップＳ４にて制御部４はカメラ制御部６にカメラ起動信号３３を出力すると共に、受信帯域をＢ１、Ｂ２に切り替える。カメラ制御部６はカメラ起動信号３３の入力によりカメラ８の電源供給を開始する。
【００５７】
ステップＳ５で携帯端末２０の待ち受けチャネルが予め設定した受信帯域ＢＮであると制御部４が判定した場合、ステップＳ６で制御部４はシンセサイザ２へチャネル切替信号３４を送出する。このチャネル切替信号３４によりシンセサイザ２は受信帯域Ｂ１、Ｂ２に切り替える。
【００５８】
切り替え後、ステップＳ７で待ち受けチャネルは受信帯域Ｂ１、Ｂ２で待ち受けの状態となる。ステップＳ５で携帯端末２０の待ち受けチャネルが受信帯域Ｂ１、Ｂ２であると制御部４が判定した場合、ステップＳ７に進み、待ち受けチャネルは受信帯域Ｂ１、Ｂ２のまま待ち受けの状態となる。
【００５９】
ステップＳ２で利用者がカメラを使用しない場合、ステップＳ３で携帯端末２０の待ち受けチャネルは受信帯域Ｂで待ち受けのままとなり、ステップＳ１へ戻る。ステップＳ８で利用者がカメラの使用をやめる場合、操作部５からのキー操作でカメラ終了信号３５を制御部４に出力する。ステップＳ９で制御部４はカメラ制御部６にカメラ停止信号３６を出力し、携帯端末２０の受信帯域をＢに切り替える。
【００６０】
カメラ制御部６はカメラ停止信号３６の入力によりカメラ８の電源供給を停止する。ステップＳ１０で待ち受けチャネルは受信帯域Ｂのチャネルで待ち受けの状態となり、ステップＳ１へ戻る。ステップＳ８で利用者がカメラの使用を継続する場合、ステップＳ７へ戻り受信帯域Ｂ１、Ｂ２で待ち受ける。
【００６１】
従って、カメラ８が動作している時は、携帯端末２０の受信レベル３７が予め設定された受信レベルＡ以上（強電界）である場合、待ち受けチャネルは受信帯域Ｂで行う。受信レベル３７が予め設定された受信レベルＡ以下（中・弱電界）である場合、待ち受けチャネルは受信帯域Ｂ１、Ｂ２で行う。仮にクロック信号の高調波ノイズＮｍと受信チャネルが重なっても受信レベル３７は強電界であるため、受信特性に大きな影響はない。つまり、受信レベル３７が中・弱電界時はクロック信号の高調波ノイズＮｍが輻射しない受信帯域Ｂ１、Ｂ２で待ち受けを行うため、高調波ノイズＮｍによる受信特性への影響は無くなる。
【００６２】
なお、本発明は、カメラ動作時に限定するものではなく、受信帯域にノイズが発生する回路が起動した場合にも応用することができる。
【００６３】
上述の通り、携帯端末２０のカメラ動作時に、カメラ８、カメラ制御部６から輻射するクロック高調波ノイズが受信帯域内に発生した場合、携帯端末２０が待ち受けするチャネルの受信帯域を制限し、クロック高調波ノイズと同じ周波数帯域を使用しないようにすることにより、安定した受信特性が得られる。
【００６４】
すなわち、カメラが動作している時、携帯端末２０の受信帯域は、クロック信号の高調波ノイズＮｍが輻射しない受信帯域Ｂ１、Ｂ２で待ち受けを行う。このため、高調波ノイズＮｍによる受信特性への影響は無くなり、安定した受信特性を得ることができる。
【００６５】
また、カメラが動作している時は、携帯端末２０の受信レベルが予め設定された受信レベルＡ以上（強電界）である場合、待ち受けチャネルは受信帯域Ｂで行う。従って、仮にクロック信号の高調波ノイズＮｍと受信チャネルが重なっても受信レベルは強電界であるので、受信特性に大きな影響はない。
【００６６】
また、受信レベルが予め設定された受信レベルＡ以下（中・弱電界）である場合、待ち受けチャネルは受信帯域Ｂ１、Ｂ２で行う。従って、受信レベルが中・弱電界時はクロック信号の高調波ノイズＮｍが輻射しない受信帯域Ｂ１、Ｂ２で待ち受けを行うので、高調波ノイズＮｍによる受信特性への影響は無くなり、安定した受信特性を得ることができる。
【００６７】
なお、携帯端末は受信帯域の変更を基地局宛に通知することになる。
【００６８】
このように、カメラ、カメラ周辺回路から輻射するノイズ対策としてのシールド構造、対策部品を削減することができ、コストダウン、小型化に貢献できる。
【図面の簡単な説明】
【００６９】
【図１】本発明携帯端末の受信帯域切替回路の一つの実施の形態を示すブロック図である。
【図２】クロック信号の高調波ノイズを示す図である。
【図３】図１の本実施の形態の動作を説明するフローチャートである。
【図４】本発明の携帯端末の受信帯域切替回路の第２の実施の形態を示すブロック図である。
【図５】クロック信号の高調波ノイズと受信レベル判定値を示す図である。
【図６】図４の第２の実施の形態の動作を説明するフローチャートである。
【符号の説明】
【００７０】
１    アンテナ
２    シンセサイザ
３    受信部
４    制御部
５    操作部
６    カメラ制御部
７    クロック発振器
８    カメラ
９    クロックノイズ発信源
１０    受信レベル判定回路
２０    携帯端末
３０    ローカル信号
３１    復調データ
３２    カメラ開始信号
３３    カメラ起動信号
３４    チャネル切替信号
３５    カメラ終了信号
３６    カメラ停止信号
３７    受信レベル
３８    判定結果
【図１】
2006211259.tif 000003
【図２】
2006211259.tif 000004
【図３】
2006211259.tif 000005
【図４】
2006211259.tif 000006
【図５】
2006211259.tif 000007
【図６】
2006211259.tif 000008